Podtech/llm-jp-corpus-v4-ja_patent huggingface dataset:
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
ユーザが多波長パルスオキシメータを介して血中酸素飽和度を測定するシステムであって、当該システムは、
パルスオキシメータデータを取得するためのＬＥＤアレイを有する前記多波長パルスオキシメータと、
前記多波長パルスオキシメータに接続される患者モニタであって、前記多波長パルスオキシメータのスキャンモードを構成し、患者の状態に関連付けられる少なくとも１つの波長をクエリし、プレチスモグラフを表示するためのグラフィカルユーザインターフェースを備える、患者モニタと、
前記患者の状態に関連付けられる少なくとも１つの波長をクエリするための医療データネットワークであって、クラウド又はインターネット内に存在し、前記患者モニタに接続される医療データネットワークと、
クラウド又はインターネット内に存在し、前記患者モニタに接続されるアルゴリズムネットワークであって、ｎ個のアルゴリズム及びサブスクリプションデータベースを含む、アルゴリズムネットワークと、を含み、
前記グラフィカルユーザインターフェースは、取得された前記パルスオキシメータデータのプレチスモグラフ、１つ又は複数の対応する波長及び前記ユーザによって選択されたスキャンモードを表示し、
前記グラフィカルユーザインターフェースは、前記ユーザが、前記多波長パルスオキシメータの１つ又は複数のエミッタを較正すること、及び、前記多波長パルスオキシメータにより収集されたパルスオキシメータデータを分析するために前記ｎ個のアルゴリズムのうちの少なくとも１つをアルゴリズムネットワークから選択することを可能にする、システム。
【請求項２】
前記多波長パルスオキシメータは、赤外線から紫外線までの範囲の複数の電磁スペクトル波長を放射する、請求項１に記載のシステム。
【請求項３】
前記グラフィカルユーザインターフェースは、全電磁スペクトルスキャン、特定の波長範囲、限定された波長のセット、及び最も高い信号対雑音比を有する波長から選択されるスキャンモードを、ユーザが選択することを可能にする、請求項１に記載のシステム。
【請求項４】
前記グラフィカルユーザインターフェースは、前記ユーザが、ルックアップソフトウェアを使用して、前記患者の状態に関連付けられる選択された波長をクエリすることを可能にする、請求項１に記載のシステム。
【請求項５】
前記患者モニタは、ディスプレイ、電源モジュール、プロセッサ、通信モジュール、ユーザインターフェース、センサコントローラ、信号プロセッサ、及びメモリを含み、前記メモリは、センサデータベース、波長データベース、サブスクリプションデータベース、検査データベース、及び、電磁スペクトルをスキャンするための１つ又は複数のプログラムを保存している、請求項１に記載のシステム。
【請求項６】
前記電磁スペクトルをスキャンするためのプログラムは、較正ソフトウェア、アルゴリズム選択ソフトウェア、近赤外線スキャンソフトウェア、最良波長ソフトウェア、マルチスペクトルソフトウェア、ルックアップソフトウェア又はこれらの組み合わせである、請求項５に記載のシステム。
【請求項７】
前記センサコントローラは、前記信号プロセッサに通信可能に接続された１つ又は複数のセンサの波長の放射を制御する、請求項５に記載のシステム。
【請求項８】
前記信号プロセッサは、前記センサからのセンサデータを取得及び処理する、請求項７に記載のシステム。
【請求項９】
前記グラフィカルユーザインターフェースは、前記ユーザが、保存された各波長についてのメモを作成することを可能にする、請求項１に記載のシステム。
【請求項１０】
前記グラフィカルユーザインターフェースは、前記患者モニタ内にマルチスペクトルビューを提供する、請求項１に記載のシステム。
【請求項１１】
前記全電磁スペクトルスキャンが選択され、実行された場合、前記グラフィカルユーザインターフェースは、前記最も高い信号対雑音比を有する波長を決定するために、前記全電磁スペクトルスキャンの結果を表示する、請求項３に記載のシステム。
【請求項１２】
前記グラフィカルユーザインターフェースは、前記ユーザが、決定された前記波長を使用すること、又は後の使用のために決定された前記波長を保存することを可能にする、請求項１１に記載のシステム。
【請求項１３】
前記グラフィカルユーザインターフェースは、
前記医療データネットワークへのクエリ結果、
将来の監視のために使用できる保存された波長、並びに
前記ユーザが選択することができるセンサデータ及び前記ｎ個のアルゴリズム、
のうちの少なくとも１つを表示する、請求項１に記載のシステム。
【請求項１４】
前記サブスクリプションデータベースは、前記患者モニタの前記アルゴリズムネットワークへの加入及び前記ユーザが利用可能なアルゴリズムのデータを含む、請求項１に記載のシステム。
【請求項１５】
前記検査データベースは、前記較正ソフトウェアによって生成されたセンサ較正の日付、時間、及び結果に関するデータを含む、請求項６に記載のシステム。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
軟質固体（Ｔ）の標的ゾーン（Ｖ）に超音波を発生させるための装置（２）であり、軟質固体内に超音波を発生させる少なくとも１つの超音波源（３２）を含む装置であって、
装置は、超音波源に対する装置の端面（５２）を超えて、装置の本体（２０）に取り付けられ、標的ゾーン（Ｚ１）の共通の焦点（Ｐ）に集束する少なくとも２つの超音波源（３２）、好ましくは３つの超音波源を含み、
装置は、軟質固体（Ｔ）のゾーン（Ｚ２）を表面下の散乱によって照らすための照明手段と、照明手段によって照らされたゾーン（Ｚ２）の画像（Ｖ’）を取り込むためのビデオカメラ（５０）とを含み、
照明装置は、全ての超音波源（３２）の焦点（Ｐ）を含む装置の中心軸（Ｘ２）の周りに分布されたいくつかの光源（４０）を含み、
超音波源（３２）、照明源（４０）およびビデオカメラ（５０）は、装置の本体（２０）に取り付けられ、標的ゾーン（Ｚ１）の共通の焦点（Ｐ）に向けられ、
ビデオカメラ（５０）のボアサイト（Ａ５０）は、装置（２）の中心軸（Ｘ２）上に位置合わせされている、
ことを特徴とする装置。
【請求項２】
全ての超音波源（３２）の前に位置するキャビティ（２６）がカップリング媒体（３４）で満たされ、前記カップリング媒体が液体である場合、膜（２８）によって塞がれ、
膜（２８）は、装置（２）の端面（３２）に属し、可撓性、音響的および光学的に透明であり、平行な主表面を有し、１００μｍ未満、好ましくは５０μｍ未満、より好ましくは約３５μｍの厚さを有する、ことを特徴とする請求項１に記載の装置。
【請求項３】
前記カップリング媒体（３４）は、１．４５〜１．６５×１０６ｋｇ・ｓ−１・ｍ−２の音響インピーダンスを有し、より好ましくは約１．５４×１０６ｋｇ・ｓ−１・ｍ−２に等しく、光学的に透明である、ことを特徴とする請求項２に記載の装置。
【請求項４】
光源（４０）がキャビティ（２６）の周りに分布している、ことを特徴とする請求項２または３に記載の装置。
【請求項５】
前記光源（４０）は、前記本体（２０）に設けられた、または前記本体（２０）の周囲に取り付けられたリング（３０）に設けられた一連の孔（２０４；３０４）内に取り付けられ、
前記光源（４０）によって放射された光ビーム（Ｂ４０）が前記キャビティ（２６）を横切らないように、孔が前記中心軸（Ｘ２）の周りに分布される、ことを特徴とする請求項２〜４のいずれか１項に記載の装置。
【請求項６】
前記ビデオカメラ（５０）の前記ボアサイト（Ａ５０）は、前記本体（２０）にも取り付けられた前記透明部分（５４）を横切っており、前記ビデオカメラを前記キャビティ（２６）から分離する、ことを特徴とする請求項２〜５のいずれか１項に記載の装置。
【請求項７】
前記照明手段（４０）は、前記超音波源（３２）の周りに配置される、ことを特徴とする請求項１〜６のいずれか１項に記載の装置。
【請求項８】
光源がＬＥＤ（４０）で作られている、ことを特徴とする請求項１〜７のいずれか１項に記載の装置。
【請求項９】
前記ＬＥＤ（４０）によって放射される光の波長は、５８６〜６０５ｎｍ、特に黄色および／または橙色スペクトルで選択される、ことを特徴とする請求項８に記載の装置。
【請求項１０】
前記ビデオカメラ（５０）は、自動利得制御を有する、ことを特徴とする請求項１〜９のいずれか１項に記載の装置。
【請求項１１】
前記標的ゾーン（Ｖ）内の超音波を検出するための検出手段（３２）、特に前記超音波源も構成するいくつかの超音波トランスデューサ（３２）と、超音波の各散乱レベルを表す信号をユーザに提供するための手段（１６）とを含む、ことを特徴とする請求項１〜１０のいずれか１項に記載の装置。
【請求項１２】
前記照明手段（４０）は、前記軟質固形物（Ｔ）の表面（Ｓ）に接触して、支持するように適応する支持部材（３０）上に取り付けられる、ことを特徴とする請求項１〜１１のいずれか１項に記載の装置。
【請求項１３】
前記本体（２０）は片手に保持されるように設計、構成されている、ことを特徴とする請求項１〜１２のいずれか１項に記載の装置。
【請求項１４】
前記装置の本体内の前記ビデオカメラ（５０）の位置および／または向きが調節可能である、ことを特徴とする請求項１〜１３のいずれか１項に記載の装置。
【請求項１５】
軟質固体（Ｔ）の標的ゾーン（Ｖ）に超音波を発生させるためのシステム（４）であって、
前記システムが、
請求項１〜１４のいずれか１項に記載の装置（２）と、
装置のビデオカメラ（５０）によって取り込まれた画像を表示するためのスクリーン（６）と、を含む、ことを特徴とするシステム。
【請求項１６】
特に、超音波でキャビテーション気泡を生成することによって、対象の組織（Ｔ）を局所的に処置する方法であって、
方法は、少なくとも以下のステップ：
ｄ）装置（２）を、対象の皮膚（Ｓ）のゾーンに接触させて配置するステップと、
ｅ）対象の皮膚に向かって配向され、対象の皮膚の下の標的ゾーン（Ｚ１）の共通点（Ｐ）に集束する装置の少なくとも２つの超音波源（３２）を作動させるステップと、
ｆ）標的ゾーン（Ｚ１）内の組織の画像フィードバックを得るステップと、
を含み、
この方法が、装置と接触している対象の皮膚の一部およびこの部分の下の組織の層を含む組織のゾーン（Ｚ２）を、表面下の散乱によって照らす、ステップｄ）を含み、
ステップｃ）が、ステップｄ）が実施されたときに実施され、
ステップｃ）の間、ステップｄ）の間に照らすゾーン（Ｚ２）の画像を撮影するために、ビデオカメラ（５０）が使用され、
この方法が、ステップｃ）、および、表示された画像（Ｖ’）に基づいてユーザが患者の皮膚に接触して装置（２）の配置を調整する更なるステップｆ）の間に、ビデオカメラによって取り込まれたユーザ画像（Ｖ’）を表示するステップ（ｅ）、を含む、
ことを特徴とする方法。
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
カテーテルシステムであって、
ハンドル部と、
前記ハンドル部に動作可能に連結されたアクチュエータと、
前記ハンドル部に連結されたカテーテルであって、前記カテーテルは、前記ハンドル部から延在する本体部と、前記本体部の遠位端に連結された先端部と、を含む、カテーテルと、
前記ハンドル部に対する前記アクチュエータの変位が前記カテーテルの前記本体部に対する前記カテーテルの前記先端部の位置を操作するように、前記アクチュエータに動作可能に連結された前記カテーテルの前記先端部と、
前記カテーテルの前記本体部に対する前記カテーテルの前記先端部の前記位置に関するフィードバックをユーザに提供するように構成されたフィードバック機構と、を備える、カテーテルシステム。
【請求項２】
前記フィードバック機構は、触覚フィードバックを提供する、請求項１に記載のカテーテルシステム。
【請求項３】
前記フィードバック機構は、可聴フィードバックを提供する、請求項１又は２に記載のカテーテルシステム。
【請求項４】
前記カテーテルの前記先端部は、
前記カテーテルの前記先端部に連結された右ガイドワイヤ及び左ガイドワイヤと、
前記右ガイドワイヤに接続された右ガイド及び前記左ガイドワイヤに接続された左ガイドと、
前記右及び左ガイドの対応するねじ部に動作可能に接続された右及び左ねじ部を有するねじ付き駆動チューブと、を含む駆動機構により前記アクチュエータに動作可能に連結され、前記ねじ付き駆動チューブは、前記アクチュエータによって前記ねじ付き駆動チューブが回転する際、前記左及び右ガイドが反対方向に長手方向に移動するように、前記アクチュエータに連結されている、請求項１〜３のいずれか一項に記載のカテーテルシステム。
【請求項５】
前記フィードバック機構は、前記右ガイドに配置された第１のタブと、前記左ガイドに配置された第２のタブと、を含み、前記第１及び第２のタブは、前記右及び左ガイドが長手方向に変位する際に互いに接触することによって前記フィードバックを提供する、請求項１〜４のいずれか一項に記載のカテーテルシステム。
【請求項６】
前記第１及び第２のタブは、前記カテーテルの前記先端部が前記カテーテルの前記本体部に対して中立位置にあるときに互いに接触する、請求項１〜５のいずれか一項に記載のカテーテルシステム。
【請求項７】
前記中立位置は、前記カテーテルの前記先端部と前記カテーテルの前記本体部との長手方向における位置合わせに対応する、請求項１〜６のいずれか一項に記載のカテーテルシステム。
【請求項８】
前記フィードバック機構は、前記中立位置以外の位置でユーザにフィードバックを提供するように構成された第３のタブを更に含む、請求項１〜７のいずれか一項に記載のカテーテルシステム。
【請求項９】
前記第１のタブ及び前記第２のタブのうちの少なくとも一方は、カンチレバーアームに配置されている、請求項１〜８のいずれか一項に記載のカテーテルシステム。
【請求項１０】
前記ハンドル部に対する前記アクチュエータの回転により、前記中立位置と選択した左位置との間及び前記中立位置と選択した右位置との間で前記先端部を操作する、請求項１〜９のいずれか一項に記載の操縦可能なシースカテーテルシステム。
【請求項１１】
前記アクチュエータは、前記中立位置と、前記選択した左位置及び前記選択した右位置のうちの少なくとも一方との間で前記先端部を操作する際、前記ハンドルに対して３６０°を超えて回転するように構成されている、請求項１〜１０のいずれか一項に記載の操縦可能なシースカテーテルシステム。
【請求項１２】
前記選択した左位置及び前記選択した右位置のうちの少なくとも一方は、それぞれ、前記先端の左方向への最大の変位又は前記先端の右方向への最大の変位を含む、請求項１〜１１のいずれか一項に記載の操縦可能なシースカテーテルシステム。
【請求項１３】
第１のガイド部材を第２のガイド部材に対して変位させることであって、前記第１及び第２のガイド部材は、前記カテーテルの先端部に動作可能に連結され、前記第１及び第２のガイド部材の変位により、前記カテーテルの前記先端部の位置を操作する、ことと、
第１のタブを第２のタブに対して変位させることであって、前記第１のタブと前記第２のタブとの間の接触により、ユーザにフィードバックを提供する、ことと、を含む、操縦可能なカテーテルの先端を変位させる方法。
【請求項１４】
前記第１のタブ及び前記第２のタブのうちの少なくとも一方に対する第３のタブの相対位置によってユーザに二次フィードバックを提供するように、前記第３のタブを変位させることを更に含む、請求項１３のいずれか一項に記載の方法。
【請求項１５】
前記第３のタブと第４のタブとの間の接触により、前記二次フィードバックを提供する、請求項１３又は１４に記載の方法。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
装置であって、
電圧信号を発生させるために入力信号を増幅するように構成された増幅器と、ここにおいて、前記入力信号は、超音波がイメージング対象アイテムに反射して、圧電層を介して伝播することに応答して発生する、
前記増幅器の出力からノードへの低周波数ノイズの伝播を低減しつつ、前記増幅器の前記出力から前記ノードに前記電圧信号を伝えるように構成された、ハイパスフィルタ特性を有するノイズ低減回路と、ここにおいて、前記低周波数ノイズは、前記電圧信号が周期する周波数より周波数が低い、
前記ノードにおける前記電圧信号に基づいてＤＣ画素電圧を発生させるように構成された回路と
を備え、前記回路は、
共通モード電圧のソースと、
前記ノードと前記共通モード電圧の前記ソースとの間に結合されたスイッチと、
前記ノードに結合され、前記電圧信号を検出するための手段と
と備え、前記スイッチは、前記ノードにおける共通モード電圧を設定し、前記電圧信号を前記検出するための手段による前記電圧信号の検出をディセーブルにするための第１の時間インターバルの間閉じられ、前記ＤＣ画素電圧を発生するために前記電圧信号を前記検出するための手段による前記電圧信号の検出をイネーブルにするための第２の時間インターバルの間開けられる装置。
【請求項２】
前記ノイズ低減回路は、前記増幅器と前記ノードとの間に結合されたキャパシタを備える、請求項１に記載の装置。
【請求項３】
前記入力信号は、入力電流信号を備え、前記増幅器は、前記電圧信号を発生させるために前記入力電流信号のトランスインピーダンス増幅を実行するように構成されたトランスインピーダンス増幅器を備える、請求項１に記載の装置。
【請求項４】
前記トランスインピーダンス増幅に関連付けられたゲインは、前記圧電層のセンス容量に基づく、請求項３に記載の装置。
【請求項５】
前記トランスインピーダンス増幅に関連付けられたゲインは、前記増幅器の前記出力と入力との間に結合されたフィードバックキャパシタの容量に対する、前記圧電層のセンス容量の比に基づく、請求項３に記載の装置。
【請求項６】
前記増幅器は、ソースフォロア増幅器を備える、請求項１に記載の装置。
【請求項７】
前記検出するための手段は、前記電圧信号の１つ以上のピークに実質的に基づいて前記ＤＣ画素電圧を発生させるように構成されたピーク検出器を備える、請求項１に記載の装置。
【請求項８】
前記検出するための手段は、前記電圧信号のサンプリングされた部分に実質的に基づいて前記ＤＣ画素電圧を発生させるように構成されたサンプル及びホールド回路を備える、請求項１に記載の装置。
【請求項９】
前記ＤＣ画素電圧を選択的に出力するように構成された出力回路を更に備える、請求項１に記載の装置。
【請求項１０】
前記増幅器は、
基準電圧を受けるように構成された第１の入力を含む演算増幅器と、
前記演算増幅器の出力と第２の入力との間に結合されたキャパシタと、
前記演算増幅器の前記出力と前記第２の入力との間に結合されたスイッチと
を備え、前記スイッチは、前記キャパシタを放電するために第１の時間インターバルの間閉じられるように構成され、前記スイッチは、前記演算増幅器が前記電圧信号を発生させるように構成された第２の時間インターバルの間開けられるように構成される、
請求項１に記載の装置。
【請求項１１】
前記検出するための手段は、
前記ノードと前記共通モード電圧の前記ソースとの間に結合されたダイオードを備え、
前記スイッチが前記第１の時間インターバルの間閉じられるとき、前記ダイオードによる前記電圧信号のピーク検出がディセーブルにされ、前記スイッチが前記第２の時間インターバルの間開けられるとき、前記ＤＣ画素電圧を発生させるための、前記ダイオードによる前記電圧信号のピーク検出がイネーブルにされる、
請求項１に記載の装置。
【請求項１２】
前記増幅器は、
前記入力信号を受けるように構成されたゲートと、電圧レールに結合されたドレインと、前記電圧信号を生成するように構成されたソースを含む電界効果トランジスタ（ＦＥＴ）と、
ゲートバイアス電圧のためのソースと、
前記ＦＥＴの前記ゲートと前記ゲートバイアス電圧の前記ソースとの間に結合されたスイッチと
を備え、前記スイッチは、前記ＦＥＴの前記ゲートから電荷を取り除き、前記ＦＥＴ上で前記ゲートバイアス電圧を生成するために第１の時間インターバルの間閉じられるように構成され、前記スイッチは、第２の時間インターバルの間開けられるように構成され、前記ＦＥＴが前記第２の時間インターバルにおいて前記電圧信号を発生させるように構成される、
請求項１に記載の装置。
【請求項１３】
前記増幅器は、
基準電圧を受けるように構成された第１の入力を含む演算増幅器と、
前記演算増幅器の出力と第２の入力との間に結合された第１のキャパシタと、
前記演算増幅器の前記出力と前記第２の入力との間に結合されたスイッチと、ここにおいて、前記スイッチは、前記キャパシタを放電するために第１の時間インターバルの間閉じられるように構成され、前記スイッチは、第２の時間インターバルの間開けられるように構成され、前記演算増幅器が前記第２の時間インターバルにおいて前記電圧信号を発生させるように構成される、
制御信号のソースと、
前記演算増幅器の前記第２の入力と前記制御電圧の前記ソースとの間に結合された第２のキャパシタと
を備え、前記制御信号は、前記演算増幅器の前記出力において共通モード電圧を設定するために前記第１の時間インターバルの間所定の電圧レベルに設定される、
請求項１に記載の装置。
【請求項１４】
前記増幅器の前記出力と前記ノイズ低減回路との間に結合されたスイッチを更に備え、前記スイッチは、前記増幅器が前記電圧信号を発生させる第１の時間インターバルの間閉じられるように構成され、前記スイッチは、前記ＤＣ画素電圧を発生させるために、前記回路が前記電圧信号のピークを検出する第２の時間インターバルの間開けられるように構成される、請求項１に記載の装置。
【請求項１５】
方法であって、
電圧信号を発生させるために入力信号を増幅することと、ここにおいて、前記入力信号は、超音波がイメージング対象アイテムに反射して、圧電層を介して伝播することに応答して発生する、
前記電圧信号をハイパスフィルタ処理することで前記電圧信号から低周波数ノイズを低減することと、ここにおいて、前記低周波数ノイズは、前記電圧信号が周期する周波数より周波数が低い、
前記ノードにおける共通モード電圧を設定し、前記電圧信号を検出するための手段による前記電圧信号の検出をディセーブルにする第１の時間インターバルの間、前記ノードと共通モード電圧のソースとの間に結合されたスイッチを閉じることと、ＤＣ画素電圧を発生するために前記電圧信号を前記検出するための手段による前記電圧信号の検出をイネーブルにするための第２の時間インターバルの間、前記スイッチを開けることとを備える、前記低減ノイズ電圧信号に基づいて前記ＤＣ画素電圧を発生させることと
を備える方法。
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
患者の脳動脈瘤内に配置され、その形状に共形化するように構成された出血性脳卒中の処置またはリスクを低減するためのコイル塞栓デバイスであって、前記コイル塞栓デバイスは複数のポリマー電界紡糸繊維を有する繊維区分を含み、前記繊維区分は、コア構造を含まず、前記ポリマー電界紡糸繊維の撚合シートを含む、コイル塞栓デバイス。
【請求項２】
前記繊維区分は、ともに撚合されない１つ以上のポリマー電界紡糸繊維を含む、請求項１に記載のコイル塞栓デバイス。
【請求項３】
前記繊維区分は、１メートルあたり約２００撚糸から約４０００撚糸を含む、請求項１に記載のコイル塞栓デバイス。
【請求項４】
前記繊維区分は、前記繊維区分内に金属またはポリマーコア構造を含まない、請求項１に記載のコイル塞栓デバイス。
【請求項５】
複数の前記繊維区分および複数の電解分解可能なリンカをさらに備え、前記各繊維区分は、前記電解分解可能なリンカによって分離される、請求項１に記載のコイル塞栓デバイス。
【請求項６】
前記電解分解可能なリンカは、第１のガルバニ電位を有する第１の金属と、前記第１のガルバニ電位と異なる第２のガルバニ電位を有する第２の金属を含む、請求項５に記載のコイル塞栓デバイス。
【請求項７】
前記電解分解可能なリンカは、導電性ポリマーを含む、請求項５に記載のコイル塞栓デバイス。
【請求項８】
前記繊維区分および前記電解分解可能なリンカは、異なるレベルの放射線不透過性を有する、請求項５に記載のコイル塞栓デバイス。
【請求項９】
前記ポリマー電界紡糸繊維は、造影剤を含む、請求項１に記載のコイル塞栓デバイス。
【請求項１０】
前記ポリマー電界紡糸繊維は、前記ポリマー電界紡糸繊維の重量に基づいて約１０００重量％の量のタンタルを含む、請求項９に記載のコイル塞栓デバイス。
【請求項１１】
前記ポリマー電界紡糸繊維は、非吸収性ポリマー、吸収性ポリマー、天然ポリマー、または合成ポリマーの少なくとも１つを含む、請求項１に記載のコイル塞栓デバイス。
【請求項１２】
前記ポリマー電界紡糸繊維は、親水性構成要素を含む、請求項１に記載のコイル塞栓デバイス。
【請求項１３】
前記繊維区分は、３５％を超える充塞密度を可能にするように構成された体積特性を有する、請求項１に記載のコイル塞栓デバイス。
【請求項１４】
前記繊維区分は、約０．０５ｇ〜約０．９ｇの範囲内の撓み剛性を有する、請求項１に記載のコイル塞栓デバイス。
【請求項１５】
前記繊維区分は、約１５μｍ〜約５００μｍの範囲内の厚さを有する、請求項１に記載のコイル塞栓デバイス。
【請求項１６】
送達機構をさらに含み、前記送達機構の少なくとも一部は、接着剤で前記繊維区分の少なくとも一部に解放可能に結合可能であり、前記接着剤の少なくとも一部は、前記送達機構から前記繊維区分を解放するために、前記繊維区分の前記一部または前記送達機構の前記一部の少なくとも１つに加えられた熱に応答して溶融するように構成される、請求項１に記載のコイル塞栓デバイス。
【請求項１７】
前記接着剤は、前記コイル塞栓デバイスの融点よりも低い融点を有する、請求項１６に記載のコイル塞栓デバイス。
【請求項１８】
送達機構をさらに含み、前記送達機構は内側ワイヤおよび外側シースを含み、前記繊維区分の少なくとも一部は、前記外側シース内に配置可能であり、前記繊維区分、前記内側ワイヤ、または前記外側シースの少なくとも１つに加えられる機械的力の結果として前記外側シースから解放されるように構成される、請求項１に記載のコイル塞栓デバイス。
【請求項１９】
前記内側ワイヤは、約１ｍｍ〜約１０ｍｍの距離だけ前記外側シースの中心軸からオフセットされる、請求項１８に記載のコイル塞栓デバイス。
【請求項２０】
前記外側シースは、前記繊維区分が前記外側シース内に配置されているとき、前記繊維区分の前記一部を前記送達機構内に安定化させるように構成される少なくとも１つの襞を含む、請求項１８に記載のコイル塞栓デバイス。
【請求項２１】
前記繊維区分は、約１５０ｏＦ〜約４００ｏＦの温度で熱硬化されるように構成される、請求項１に記載のコイル塞栓デバイス。
【請求項２２】
前記繊維区分の剛性を増加させるために、前記繊維区分のオリジナル長さの約２５％から約５０％の間の歪みが、前記繊維区分に加えられるように構成される、請求項１に記載のコイル塞栓デバイス。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
（ａ）ＳＥＱ  ＩＤ  ＮＯ：７の核酸配列、または、ＳＥＱ  ＩＤ  ＮＯ：７と少なくとも９５％の配列同一性を有する核酸配列から成る第１フラグメントと、
（ｂ）ＳＥＱ  ＩＤ  ＮＯ：９の核酸配列、または、ＳＥＱ  ＩＤ  ＮＯ：９と少なくとも９５％の配列同一性を有する核酸配列から成る第２フラグメントと、
（ｃ）ＳＥＱ  ＩＤ  ＮＯ：３の核酸配列、または、ＳＥＱ  ＩＤ  ＮＯ：３と少なくとも９５％の配列同一性を有する核酸配列から成る第３フラグメントと
を備えるポリヌクレオチド。
【請求項２】
前記第２フラグメントは、前記第１フラグメントと前記第３フラグメントとの間にあり、各フラグメントは、隣接するフラグメントから２０ヌクレオチドより遠く離れていない、請求項１記載のポリヌクレオチド。
【請求項３】
請求項１に記載のポリヌクレオチド、および、タンパク質コード配列を備えるポリヌクレオチド構築物。
【請求項４】
３'‐ＵＴＲを更に備える、請求項３に記載のポリヌクレオチド構築物。
【請求項５】
ポリ（Ａ）配列を更に備える、請求項３に記載のポリヌクレオチド構築物。
【請求項６】
請求項３に記載のポリヌクレオチド構築物を含む、培養中の細胞。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
単一標的核酸分子を単離および増幅するための方法であって：
ａ）ｉ）単一の核酸分子が接続された固体支持体を、ｉｉ）少なくともその一つが標的核酸分子である、複数の核酸分子を含む溶液と接触させること、ここで、前記標的核酸分子の少なくとも一部が前記固体支持体に接続された前記核酸分子の一部と相補的であり、前記固体支持体に接続された前記単一の核酸分子の少なくとも一部が前記標的核酸分子の対応する部分に対して相補的でない；
ｂ）前記固体支持体に接続された前記単一の核酸分子を、前記標的核酸分子にハイブリダイズさせることにより、単一標的核酸分子を捕獲すること；
ｃ）前記捕獲された単一標的核酸分子を、前記固体支持体に接続された前記単一の核酸分子をテンプレートとして使用する重合反応によって伸長し、これにより更なる３’配列を前記捕獲された標的核酸分子に組み込むこと；そして
ｄ）前記更なる３’配列を使用して前記伸長した捕獲された標的核酸分子のみを増幅し、前記単一標的核酸分子の複数のコピーを提供すること；
の工程を含む、前記方法。
【請求項２】
前記核酸分子の非相補的部分が固体支持体に接続された分子の末端に存在する、請求項１に記載の方法。
【請求項３】
前記分子の前記相補的分が少なくとも１０ヌクレオチドの長さである、請求項１又は請求項２に記載の方法。
【請求項４】
前記溶液が、伸長された標的核酸分子よりも有意に多いコピー数の伸長されない標的核酸分子を含む、請求項１から３のいずれか１項に記載の方法。
【請求項５】
固体支持体がポリマービーズである、請求項１から４のいずれか１項に記載の方法。
【請求項６】
それに接続された単一の核酸分子をそれぞれ有する複数の固体支持体が提供される、請求項１から５のいずれか１項に記載の方法。
【請求項７】
増幅が、複数の単一標的核酸分子の単独のクローン増幅である、請求項１から６のいずれか１項に記載の方法。
【請求項８】
工程ｄがＰＣＲである、請求項１から７のいずれか１項に記載の方法。
【請求項９】
工程ｃとｄが異なる温度で実施される、請求項１から８のいずれか１項に記載の方法。
【請求項１０】
工程ｄが工程ｃよりも高い温度で実施される、請求項９に記載の方法。
【請求項１１】
単一の核酸分子が接続された前記固体支持体が複数の増幅プライマーを含有する、請求項１から１０のいずれか１項に記載の方法。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
対象の治療を計画するシステムにおいて、前記システムが、治療装置を使用することにより実行される治療を計画し、前記治療装置が、細長く、長手軸と、前記対象を治療するために使用されるエネルギを供給するエネルギ送達要素であって前記治療装置を完全には囲まないエネルギ送達要素と、を有し、前記システムが、
前記対象の治療を計画する治療計画装置であって、前記治療計画装置が、四次元空間において前記治療の間に使用される前記治療装置の治療位置を決定し、前記四次元空間が、３つのデカルト座標及び角度座標により表され、前記角度座標が、長手軸の周りの回転に対する前記治療装置の角度方向を規定する、当該治療計画装置、
を有する、システム。
【請求項２】
前記システムが、前記治療計画装置により決定された前記治療位置を受信し、前記受信された治療位置に従って前記治療装置を配置する配置装置を有する、請求項１に記載のシステム。
【請求項３】
前記配置装置が、前記治療装置を受ける少なくとも１つの開口を有する支持構造を含み、前記支持構造は、前記治療位置の前記角度座標に従って前記治療装置を配置するために、前記治療装置が前記支持構造に対して回転可能であるように構成される、請求項２に記載のシステム。
【請求項４】
前記支持構造が、前記治療装置を受ける少なくとも１つの開口を有する少なくとも１つの保持要素を有し、前記保持要素が、前記治療位置の前記角度座標に従って前記治療装置を配置するために、前記支持構造に対して回転可能である、請求項３に記載のシステム。
【請求項５】
前記少なくとも１つの開口が、非円形断面を持つ、請求項３に記載のシステム。
【請求項６】
前記支持構造が、前記治療装置を受ける複数の開口を有し、前記開口は、保持面内に構成され、前記治療装置が前記保持面に対して垂直である方向において移動可能であるように構成される、請求項３に記載のシステム。
【請求項７】
前記配置装置が、前記四次元空間において前記治療装置の現在位置を決定し、前記現在位置と前記治療位置との間の差に基づいて前記治療装置を配置する及び／又は前記差を出力する、請求項２に記載のシステム。
【請求項８】
前記配置装置が、前記治療装置の位置を決定する６自由度センサを有する、請求項７に記載のシステム。
【請求項９】
前記６自由度センサが、電磁センサである、請求項８に記載のシステム。
【請求項１０】
前記６自由度センサが、前記エネルギ送達要素の両側に配置された少なくとも２つの位置センサを有する、請求項８に記載のシステム。
【請求項１１】
前記６自由度センサが、前記エネルギ送達要素まで距離をもって配置された少なくとも２つの位置センサを有する、請求項８に記載のシステム。
【請求項１２】
前記システムが、前記治療装置を有し、前記治療装置が、一方向治療装置である、請求項１に記載のシステム。
【請求項１３】
治療装置を配置する配置装置において、前記治療装置が、細長く、長手軸と、対象を治療するために使用されるエネルギを供給するエネルギ送達要素であって前記治療装置を完全には囲まないエネルギ送達要素と、を有し、前記配置装置が、請求項１に記載のシステムの治療計画装置により決定された治療位置を受信し、前記受信された治療位置に従って前記治療装置を配置する、配置装置。
【請求項１４】
対象の治療を計画する方法において、前記方法が、治療装置を使用することにより実行される治療を計画し、前記治療装置が、細長く、長手軸と、対象を治療するために使用されるエネルギを供給するエネルギ送達要素であって前記治療装置を完全には囲まないエネルギ送達要素と、を有し、前記方法が、
治療計画装置を使用することにより前記対象の治療を計画するステップであって、前記治療の間に使用される前記治療装置の治療位置が、四次元空間において決定され、前記四次元空間が、３つのデカルト座標及び角度座標により表され、前記角度座標が、長手軸の周りの回転に対する前記治療装置の角度方向を規定する、ステップ、
を有する、方法。
【請求項１５】
請求項１に記載の対象の治療を計画するシステムを制御するコンピュータプログラムにおいて、前記コンピュータプログラムは、前記システムを制御するコンピュータ上で実行される場合に、請求項１４に記載の対象の治療を計画する方法のステップを前記システムに実行させるプログラムコード手段を有する、コンピュータプログラム。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
（ａ）使用者が交換可能なｅリキッドカートリッジ、
（ｂ）前記カートリッジからｅリキッドを引出し、霧化器にそのｅリキッドをポンピングするよう構成されるｅリキッド流体移送システム
を含み、
前記カートリッジが、前記カートリッジが真正であるかどうかを検証するために前記システムによって読取られ、前記検証が良好であれば、前記システムが、ｅリキッドを前記流体移送システムによって前記ｅリキッドカートリッジから引出すことを可能にするセキュリティまたは認証子チップを含む、
電子たばこヴェポライザーシステム。
【請求項２】
前記カートリッジが、それに含まれる前記ｅリキッドに関するデータ及び／または前記カートリッジに関する固有の識別情報を記憶するためのメモリを含む、請求項１に記載の電子たばこヴェポライザーシステム。
【請求項３】
前記メモリが、前記セキュリティまたは認証子チップの一部である、請求項２に記載の電子たばこヴェポライザーシステム。
【請求項４】
前記メモリが、前記ｅリキッドのフレーバー、ニコチン強度、製造バッチ番号、製造の日付、充填の日付のうちの１つ以上など、前記カートリッジの前記ｅリキッドを定めるデータを記憶及び出力する、請求項２又は３に記載の電子たばこヴェポライザーシステム。
【請求項５】
前記メモリが、税金または納税済みのデータを定めるデータを記憶及び出力する、請求項２〜４のいずれかに記載の電子たばこヴェポライザーシステム。
【請求項６】
前記メモリが、前記カートリッジのｅリキッドの量を定めるデータを記憶及び出力する、請求項２〜５のいずれかに記載の電子たばこヴェポライザーシステム。
【請求項７】
前記カートリッジが再充填不可能でタンパーエビデント性であり、貯蔵及び移送中にｅリキッドの安定性を保持する気密シールを含む、請求項１〜６のいずれかに記載の電子たばこヴェポライザーシステム。
【請求項８】
前記カートリッジが、ｅリキッドの容量において１０ｍＬ以下である、請求項１〜７のいずれかに記載の電子たばこヴェポライザーシステム。
【請求項９】
前記カートリッジが２つの開口部を含み、
前記第１の開口部が、ファイリングラインの前記カートリッジを充填するために使用され、次いで栓またはプラグで覆われ、前記第２の開口部が、前記カートリッジからｅリキッドを引出す針またはステムによって貫通または穿刺されるように設計された隔壁によって封止され、前記針またはステムは前記流体移送システムに接続されている、請求項１〜８のいずれかに記載の電子たばこヴェポライザーシステム。
【請求項１０】
前記システム内のプロセッサが、リモートサーバからデータを受信し、前記カートリッジを使用可能にするか、それを使用できないようにする、請求項１〜９のいずれかに記載の電子たばこヴェポライザーシステム。
【請求項１１】
前記システム内のプロセッサは、データを前記カートリッジの前記メモリに書出して戻し、前記メモリに書出して戻された前記データは、前記流体移送システムからのデータまたは前記流体移送システムと関連するデータ、例えばポンピングサイクル数から算出されるものとして、前記カートリッジに残っている、または前記カートリッジによって提供されている前記ｅリキッドの量の推定値または測定値を含む、請求項２〜１０のいずれかに記載の電子たばこヴェポライザーシステム。
【請求項１２】
前記システム内のプロセッサは、前記カートリッジの前記固有の識別情報によって定義されるように、各特定のカートリッジに残っている、または各特定のカートリッジによって提供されている前記ｅリキッドの量をシステムメモリに記憶する、請求項２〜１１のいずれかに記載の電子たばこヴェポライザーシステム。
【請求項１３】
前記システム内の前記プロセッサが、前記システムメモリまたはカートリッジメモリに記憶されている前記データを使用して判定された、前記カートリッジに残っている、または前記カートリッジによって提供されている前記ｅリキッドの量が、そのカートリッジの許容されるｅリキッド容量を超える場合に特定のカートリッジを使用するのを妨げて、前記カートリッジの認定されていない再充填を無益にする、請求項１２に記載の電子たばこヴェポライザーシステム。
【請求項１４】
前記カートリッジが、以下の
（ａ）電子式ヴェポライザー用の携帯型の個人的な貯蔵及びキャリングケースであって、前記ケース内に配置される前記流体移送システムと係合するようにさらに構成される前記貯蔵及びキャリングケース、または
（ｂ）電子式ヴェポライザーであって、前記ヴェポライザー内に配置される前記流体移送システムと係合するようにさらに構成されている前記電子式ヴェポライザー
の各々またはいずれかに挿入または取付けられるように構成されている、請求項１から１３のいずれかに記載の電子たばこヴェポライザーシステム。
【請求項１５】
前記流体移送システムが、電子式ポンプ、または蠕動ポンプであり、それぞれの場合において、前記ｅリキッドを、ｅリキッド管を通して前記霧化器にポンピングする、請求項１〜１４のいずれかに記載の電子たばこヴェポライザーシステム。
【請求項１６】
前記カートリッジが前記霧化器とは別個に使用者が交換可能である、請求項１〜１５のいずれかに記載の電子たばこヴェポライザーシステム。
【請求項１７】
前記カートリッジからｅリキッドを引出し、そのｅリキッドを霧化器にポンピングするように構成されたｅリキッド流体移送システムを含む電子たばこヴェポライザーシステム用の使用者が交換可能なｅリキッドカートリッジであって、
前記カートリッジが、前記カートリッジが真正であるかどうかを検証するために前記システムによって読取られ、前記検証が良好であれば、前記システムが、ｅリキッドを前記流体移送システムによって前記ｅリキッドカートリッジから引出すことを可能にするセキュリティまたは認証子チップを含む、
前記使用者が交換可能なｅリキッドカートリッジ。
【請求項１８】
前記ｅリキッドカートリッジが、請求項１〜１６のいずれかに定義されている電子たばこヴェポライザーシステム用のｅリキッドを提供するように構成される、請求項１７に記載の使用者が交換可能なｅリキッドカートリッジ。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
電気モーター（１）及び電源（６）を有する電動装置であって、
前記電源（６）が前記電気モーター（１）の半径方向外側に設置され、前記電気モーター（１）の周りに周方向に、特に３６０°の角度にわたって延びる電動装置において、
前記電源（６）が管状円筒ハウジングに保持され、前記電気モーター（１）がその内側に設置され、特に、シリンダー軸とモーター軸が同軸であり、
前記管状円筒ハウジングは少なくとも２つのセグメント（７）に周方向に分割されており、
周方向に延びるセグメント（７）であって前記電源の管状円筒ハウジングのセグメント（７）の各々がそれぞれ、又は前記電源の管状円筒ハウジングの次々に軸方向に位置決めされたリングセグメントのうちの同じ周方向位置に割り当てられたセグメント（７）の全てがそれぞれ、前記電気モーター（１）のステータ付勢システムの一部に接続したそれぞれの制御プレート（１４）を有することを特徴とする電動装置。
【請求項２】
前記管状円筒ハウジングが、複数のエネルギー貯蓄セルが保持される又は保持され得る、好ましくは軸方向に延びる複数の室（８）、特に円筒室（８）を有する、ことを特徴とする請求項１に記載の電動装置。
【請求項３】
前記管状円筒ハウジングは複数のリングに軸方向に分割され、特にその軸方向長さは、軸方向に延びる正に１つのエネルギー貯蓄セルをそれぞれの円筒室（８）において受容するようにそれぞれ適合され、それぞれのリングが、少なくとも２つのセグメント（７）に周方向に分割されている、ことを特徴とする請求項１又は２に記載の電動装置。
【請求項４】
相互接続プレート（１１）、特に円形リングセグメントとして成形された相互接続プレート（１１）が、次々に軸方向に位置決めされたリングの隣接するセグメント（７）の全ての組の間に設置される、ことを特徴とする請求項３に記載の電動装置。
【請求項５】
同じ周方向位置で次々に軸方向に設置された前記セグメント（７）の少なくとも一部の、特にグループごとの又は全てのエネルギー貯蓄セルは、前記相互接続プレート（１１）により直列に電気的に接続される、ことを特徴とする請求項４に記載の電動装置。
【請求項６】
１つのプレートが、同じ周方向位置で次々に軸方向に位置決めされた全てのセグメント（７）のための周方向に隣接するセグメント（７）の全ての組の間の領域（１３）に設置され、前記プレートはそれと平行に軸方向に延び、特に、実質的に前記電源の管状円筒ハウジングの全軸方向長さにわたって延び、好ましくはこのプレートは、次々に軸方向に位置決めされた２つの隣接するセグメント（７）の間の各々の相互接続プレート（１１）に電気的に接続される、ことを特徴とする請求項４又は５に記載の電動装置。
【請求項７】
前記プレートは、エネルギー貯蓄セル操作のための電子機器、特にそれぞれのセグメント（７）又は同じ周方向位置を有する全てのセグメント（７）において直列接続されたセル電圧を検査するための電子機器を有する、ことを特徴とする請求項６に記載の電動装置。
【請求項８】
少なくとも１つの制御プレート（１４）が、前記電源ユニット（６）及び前記電気モーター（１）の軸方向端面に少なくとも部分的に重なって設置され、特にフィードバックを用いて又は用いずに制御される方法で、前記電源ユニットのエネルギーを前記電気モーター（１）のステータ付勢システムに分配するように構成される、ことを特徴とする請求項１〜７のいずれか一項に記載の電動装置。
【請求項９】
前記制御プレート（１４）がパワーエレクトロニクスを形成し、特に前記セグメント（７）のそれぞれに機能的に割り当てられた前記制御プレートの全てがそれぞれのパワーエレクトロニクスを形成し、それぞれの電圧、特に同じ周方向位置で次々に軸方向に位置決めされた前記セグメント（７）の直列接続された総和電圧が、前記パワーエレクトロニクスに電気的に接続され、それにより特に前記電気モーター（１）が単一の周方向位置の前記セグメント（７）のエネルギー及びパワーエレクトロニクスにより操作できる、ことを特徴とする請求項１〜８のいずれか一項に記載の電動装置。
【請求項１０】
前記ステータ付勢システムが、前記電気モーター（１）のステータを通って軸方向に延びた複数の付勢可能なロッド（３）により形成され、当該ロッドはそれぞれ、一方の端部により共用の短絡環に接続し、他方の端部ではそれぞれの前記制御プレート（１４）、特に請求項８に記載の制御プレートに接続される、ことを特徴とする請求項１〜９のいずれか一項に記載の電動装置。
【請求項１１】
前記ステータ付勢システムが、複数の付勢ユニット、特に巻き線又は好ましくは請求項１０に記載のロッド（３）を有し、これらは機能的に、３相以上、好ましくは少なくとも６相の数に割り当てられ、特に２つの相の間又は１つの相とアースの間の電圧差が６０ボルト以下になる、ことを特徴とする請求項１〜１０のいずれか一項に記載の電動装置。
【請求項１２】
前記電源の管状円筒ハウジング、特にそれぞれのセグメント（７）は、特に軸方向案内溝の上をスライドすることで少なくとも軸方向案内溝（４）の端部に係合する半径方向隆起部（５）によって、前記電気モーター（１）の外側表面に軸方向に差し込まれ又は押し込まれる、ことを特徴とする請求項１〜１１のいずれか一項に記載の電動装置。
【請求項１３】
前記電源（６）及び前記電気モーター（１）は、特に半径方向隙間によって、互いから断熱され、半径方向隙間を介して好ましくは、前記電源（６）のハウジングと前記電気モーター（１）が隆起部（５）によってのみ接続される、ことを特徴とする請求項１〜１２のいずれか一項に記載の電動装置。
【請求項１４】
前記電気モーター（１）及び前記電源がそれぞれ、特に前記電気モーター（１）及び／又は前記電源（６）を通って軸方向に延びるヒートパイプによる、互いに独立したそれら自体の熱放散システムを有する、ことを特徴とする請求項１２に記載の電動装置。
【請求項１５】
少なくとも１つの溝が、前記電気モーター（１）の積層においてステータの内周面まで延び、
制御プレート（１４）のパワーエレクトロニクスから突出し、前記溝に突出する磁場センサーがそこに設置される、ことを特徴とする請求項１〜１４のいずれか一項に記載の電動装置。
【請求項１６】
少なくとも１つの永久磁石が、回転角度を検出するために前記電気モーター（１）の軸に設置され、その磁場が、その上方に位置するプレート、特に端面制御プレート（１４）に設置された回転角度センサー、特に１８０°センサーによって検出される、ことを特徴とする請求項１〜１５のいずれか一項に記載の電動装置。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
支持厚さと、有効層（２０）の熱膨張係数よりも小さい熱膨張係数とを有する、支持基板（１）上に配置された、有効厚さを有する圧電材料の前記有効層（２０）を有する、ハイブリッド構造（６０）を製造する方法であって、前記方法は、
ａ）圧電材料のドナー基板（２）と、前記支持基板（１）とを備える、接合された構造（６）を提供するステップであって、前記接合された構造（６）は、前記支持基板（１）とドナー基板（２）との間に接合界面（５）を有する、ステップと、
ｂ）前記支持基板（１）上に配置された、中間厚さを有する、より薄い層（２’）を形成するために、前記ドナー基板（２）を薄化する、第１のステップであって、全体が、より薄い構造（６’）を形成する、第１のステップと、
ｃ）アニーリング温度における前記薄化された構造（６’）の熱処理ステップと、
ｄ）ステップｃ）の後の、前記有効層（２０）を形成するための、前記薄化された層（２’）の第２の薄化ステップと
を含み、
前記方法は、ステップｂ）の前に、前記ステップｃ）中における前記薄化された構造（６’）の劣化を回避する中間厚さの範囲を決定するステップａ’）であって、前記範囲は、閾値厚さと、最大厚さとによって定義され、前記薄化された層（２’）の前記中間厚さは、前記範囲内において選択される、ステップａ’）を含むことを特徴とする
方法。
【請求項２】
前記閾値厚さは、第１の感度モデルから決定され、それの入力パラメータは、前記支持厚さと、前記ドナー基板（２）および前記支持基板（１）の前記熱膨張係数と、前記アニーリング温度と、前記接合された構造（６）の前記接合界面（５）において見つけられる接着されていないエリアの最大サイズとを含む請求項１に記載のハイブリッド構造（６０）を製造する方法。
【請求項３】
前記最大厚さは、第２の感度モデルから決定され、それの入力パラメータは、前記支持厚さと、前記ドナー基板（２）および前記支持基板（１）の前記熱膨張係数と、前記アニーリング温度とを含む請求項１または２に記載のハイブリッド構造（６０）を製造する方法。
【請求項４】
前記決定ステップａ’）が、前記最大厚さよりも高い前記閾値厚さ、または前記有効厚さよりも小さい前記最大厚さを確定したときに、ステップａ’）の後、ステップｂ）の前に、前記接合された構造（６）を再利用するステップａ”）を含む請求項１乃至３のいずれか一項に記載のハイブリッド構造（６０）を製造する方法。
【請求項５】
再利用する前記ステップａ”）は、前記接合された構造（６）の前記接合界面（５）における分離を含む請求項４に記載のハイブリッド構造（６０）を製造する方法。
【請求項６】
再利用する前記ステップａ”）は、接合された構造（６）を提供する新しいステップａ）のための、前記分離からの前記ドナー基板（２）および前記支持基板（１）の再使用を含む請求項４に記載のハイブリッド構造（６０）を製造する方法。
【請求項７】
前記第２の薄化ステップｄ）は、前記支持基板（１）を薄化するステップをさらに含むことができる請求項１乃至６のいずれか一項に記載のハイブリッド構造（６０）を製造する方法。
【請求項８】
前記有効層（２０）は、タンタル酸リチウム（ＬｉＴａＯ3）、ニオブ酸リチウム（ＬｉＮｂＯ3）、窒化アルミニウム（ＡｌＮ）、酸化亜鉛（ＺｎＯ）からなる群から選択される材料から構成される請求項１乃至７のいずれか一項に記載のハイブリッド構造（６０）を製造する方法。
【請求項９】
前記支持基板（１）は、シリコン、ＩＩＩ−Ｖ族半導体、カーバイドシリコン、ガラス、サファイアからなる群から選択される材料から構成される請求項１乃至８のいずれか一項に記載のハイブリッド構造（６０）を製造する方法。
【請求項１０】
前記支持基板（１）は、１つまたは複数の表面層を備える請求項１乃至９のいずれか一項に記載のハイブリッド構造（６０）を製造する方法。
【請求項１１】
有効層（２０）の熱膨張係数よりも小さい熱膨張係数を有する支持基板（１）に組み立てられた、５０ミクロン未満の有効厚さを有する圧電材料の前記有効層（２０）を備える、ハイブリッド構造（６０）であって、前記ハイブリッド構造（６０）は、前記有効層（２０）と前記支持基板（１）との間に、１０００ｍＪ／ｍ2よりも大きい接合エネルギーと、サイズが１から１０００ミクロンの間の少なくとも１つの接合されていない接着エリアとを有する接合界面（５）を含むことを特徴とするハイブリッド構造（６０）。